(57)【要約】【課題】ＦＤＤセルとＴＤＤセルとを併用するキャリアアグリゲーションにおいて、各セルに用いられるダウンリンク制御情報を決定するための技術を提供することである。【解決手段】本発明の一態様は、周波数分割複信（ＦＤＤ）方式と時分割複信（ＴＤＤ）方式とに従ってキャリアアグリゲーションにより設定された複数のセルを介し基地局と無線チャネルを送受信する送受信部と、前記複数のセルを管理するセル管理部と、前記複数のセルのうち、プライマリセルに適用されている複信方式が前記ＦＤＤ方式と前記ＴＤＤ方式との何れであるか判別し、前記キャリアアグリゲーションが実行される各セルに対して前記決定された複信方式に従うダウンリンク制御情報を受信および復調する通信制御部とを有するユーザ装置に関する。【選択図】図６
2015142350.tif 000002
【特許請求の範囲】
【請求項１】
周波数分割複信（ＦＤＤ）方式と時分割複信（ＴＤＤ）方式とに従ってキャリアアグリゲーションにより設定された複数のセルを介し基地局と無線チャネルを送受信する送受信部と、
前記複数のセルを管理するセル管理部と、
前記複数のセルのうち、プライマリセルに適用されている複信方式が前記ＦＤＤ方式と前記ＴＤＤ方式との何れであるか判別し、前記キャリアアグリゲーションが実行される各セルに対して前記決定された複信方式に従うダウンリンク制御情報を受信および復調する通信制御部と、
を有するユーザ装置。
【請求項２】
前記通信制御部は、前記ＦＤＤ方式が前記プライマリセルに適用されている場合には前記キャリアアグリゲーションが実行される各セルに対して前記ＦＤＤ方式に従うダウンリンク制御情報を受信および復調し、前記ＴＤＤ方式が前記プライマリセルに適用されている場合には前記キャリアアグリゲーションが実行される各セルに対して前記ＴＤＤ方式に従うダウンリンク制御情報を受信および復調する、請求項１記載のユーザ装置。
【請求項３】
前記ＴＤＤ方式に従うダウンリンク制御情報は、ダウンリンクのサブフレームの割り当て毎に計数されるダウンリンクＤＡＩ（Ｄｏｗｎｌｉｎｋ  Ａｓｓｉｇｎｍｅｎｔ  Ｉｎｄｅｘ）、割り当てられたダウンリンク共有チャネルの総数を示すアップリンクＤＡＩ、及びＨＡＲＱ（Ｈｙｂｒｉｄ  Ａｕｔｏｍａｔｉｃ  Ｒｅｐｅａｔ  Ｒｅｑｕｅｓｔ）プロセス番号通知ビットの１つ以上を含む、請求項２記載のユーザ装置。
【請求項４】
前記セル管理部は、前記複数のセルをセルグループ単位で管理し、
前記通信制御部は、各セルグループの物理アップリンク制御チャネルを送信するセルに適用されている複信方式が前記ＦＤＤ方式と前記ＴＤＤ方式との何れであるか判別し、前記セルグループ内の各セルに対して前記決定された複信方式に従うダウンリンク制御情報を受信および復調する、請求項１記載のユーザ装置。
【請求項５】
前記通信制御部は、前記ＦＤＤ方式が前記セルグループの物理アップリンク制御チャネルを送信するセルに適用されている場合には前記セルグループ内の各セルに対して前記ＦＤＤ方式に従うダウンリンク制御情報を利用し、前記ＴＤＤ方式が前記セルグループの物理アップリンク制御チャネルを送信するセルに適用されている場合には前記セルグループ内の各セルに対して前記ＴＤＤ方式に従うダウンリンク制御情報を受信および復調する、請求項４記載のユーザ装置。
【請求項６】
前記セルグループの物理アップリンク制御チャネルを送信するセルは、前記プライマリセルを含む、請求項５記載のユーザ装置。
【請求項７】
周波数分割複信（ＦＤＤ）方式と時分割複信（ＴＤＤ）方式とに従ってキャリアアグリゲーションにより設定された複数のセルを介し基地局と無線チャネルを送受信するユーザ装置における方法であって、
前記複数のセルのプライマリセルに適用されている複信方式が前記ＦＤＤ方式と前記ＴＤＤ方式との何れであるか決定するステップと、
前記キャリアアグリゲーションが実行される各セルに対して前記決定された複信方式に従うダウンリンク制御情報を受信および復調するステップと、
を有する方法。
【発明の詳細な説明】
【技術分野】
【０００１】
本発明は、キャリアアグリゲーションを利用した無線通信システムに関する。
【背景技術】
【０００２】
ＬＴＥ（Ｌｏｎｇ  Ｔｅｒｍ  Ｅｖｏｌｕｔｉｏｎ）では、周波数分割複信（Ｆｒｅｑｕｅｎｃｙ  Ｄｉｖｉｓｉｏｎ  Ｄｕｐｌｅｘ：ＦＤＤ）方式と時分割複信（Ｔｉｍｅ  Ｄｉｖｉｓｉｏｎ  Ｄｕｐｌｅｘ：ＴＤＤ）方式との２つの複信方式（Ｄｕｐｌｅｘモード）が規定されている。ＦＤＤ方式では、アップリンク通信とダウンリンク通信とが互いに異なる周波数帯で実行され、ＴＤＤ方式では、アップリンク通信とダウンリンク通信とが同一の周波数帯を利用し、アップリンク通信とダウンリンク通信とが時間で分離される。ＴＤＤ方式では、アップリンク／ダウンリンクに割り当てられる時間比率は１：１に限定されず、異なる比率が利用可能である。Ｄｕｐｌｅｘモード間の切り替えは、異周波ハンドオーバにより実行可能である。
【０００３】
一方、ＬＴＥ規格Ｒｅｌ−１０から、基地局内キャリアアグリゲーション（Ｉｎｔｒａ−ｅＮＢ  ＣＡ）がサポートされた。キャリアアグリゲーションでは、複数のコンポーネントキャリア（ＣＣ）を束ねて利用することによって、スループットの向上を図ることができる。
【先行技術文献】
【非特許文献】
【０００４】
【非特許文献１】3GPP TSG RAN meeting #61 RP-131399
【発明の概要】
【発明が解決しようとする課題】
【０００５】
しかしながら、ＬＴＥ規格Ｒｅｌ−１０及びＲｅｌ−１１では、図１に示されるように、キャリアアグリゲーションの各セルは、同一のＤｕｐｌｅｘモードに限定されていた。すなわち、キャリアアグリゲーションのために設定されたすべてのセルがＦＤＤ方式を利用しているか、又はＴＤＤ方式を利用していることが前提となっていた。ＬＴＥ規格Ｒｅｌ−１２では、図２に示されるように、ＦＤＤ方式とＴＤＤ方式とが混在して利用されるセルを利用したＩｎｔｒａ−ｅＮＢ  ＣＡ（ＦＤＤ＋ＴＤＤのＩｎｔｒａ−ｅＮＢ  ＣＡ）が検討されている。
【０００６】
さらに、ＬＴＥ規格Ｒｅｌ−１２では、基地局間キャリアアグリゲーション（Ｉｎｔｅｒ−ｅＮＢ  ＣＡ）もまた検討されている。Ｉｎｔｅｒ−ｅＮＢ  ＣＡでは、基地局（ｅＮＢ）間はＮｏｎ−ｉｄｅａｌ  Ｂａｃｋｈａｕｌ接続が前提とされており、Ｉｎｔｅｒ−ｅＮＢ  ＣＡでもまた双方のＤｕｐｌｅｘモードが利用可能であることが望ましい（ＦＤＤ＋ＴＤＤ  Ｉｎｔｅｒ−ｅＮＢ  ＣＡ）。また、Ｉｎｔｒａ−ｅＮＢ  ＣＡでは、１つのスケジューラが利用され、プライマリセル（ＰＣｅｌｌ又はＰＣＣ）のみへのＵＣＩ（Ｕｐｌｉｎｋ  Ｃｏｎｔｒｏｌ  Ｉｎｆｏｒｍａｔｉｏｎ）フィードバックで十分であるが、Ｉｎｔｅｒ−ｅＮＢ  ＣＡでは、独立した複数のスケジューラが利用されるため、各セル又はコンポーネントキャリア（ＣＣ）においてＵＣＩフィードバックが必要となる。例えば、ダウンリンクＨＡＲＱ（Ｈｙｂｒｉｄ  Ａｕｔｏｍａｔｉｃ  Ｒｅｐｅａｔ  Ｒｅｑｕｅｓｔ）では、ダウンリンク受信データのＡＣＫ／ＮＡＣＫフィードバックが必要である。Ｉｎｔｒａ−ｅＮＢ  ＣＡでは、ＡＣＫ／ＮＡＣＫをＰＣｅｌｌのみにフィードバックすれば十分であったが、Ｉｎｔｅｒ−ｅＮＢ  ＣＡでは、各ＣＣにＡＣＫ／ＮＡＣＫをフィードバックする必要がある。
【０００７】
ＴＤＤ方式のＤＣＩ（Ｄｏｗｎｌｉｎｋ  Ｃｏｎｔｒｏｌ  Ｉｎｆｏｒｍａｔｉｏｎ）には、ＦＤＤ方式のＤＣＩには存在しないビットが設けられる。例えば、ＴＤＤ方式のＤＣＩに含まれるダウンリンクＤＡＩ（Ｄｏｗｎｌｉｎｋ  Ａｓｓｉｇｎｍｅｎｔ  Ｉｎｄｅｘ）、アップリンクＤＡＩは、ＦＤＤ方式のＤＣＩにはない。また、ＨＡＲＱ（Ｈｙｂｒｉｄ  Ａｕｔｏｍａｔｉｃ  Ｒｅｐｅａｔ  Ｒｅｑｕｅｓｔ）プロセス番号通知ビットは、ＦＤＤ方式のＤＣＩでは３ビットであるが、ＴＤＤ方式のＤＣＩでは４ビットである。
【０００８】
ダウンリンクＤＡＩは、ダウンリンク割当内の２ビットとして設けられ、ダウンリンクのサブフレームの割り当て毎に計数される。図３の実線の矢印に示されるように、例えば、４つのダウンリンクサブフレームが割り当てられる場合、ダウンリンクＤＡＩの値は、各サブフレーム割り当てを指示するＤＣＩごとに、２ビット値で１，２，３，４と計数される。このダウンリンクＤＡＩを確認することによって、ユーザ装置（ＵＥ）は、検出したＰＤＣＣＨ（Ｐｈｙｓｉｃａｌ  Ｄｏｗｎｌｉｎｋ  Ｃｏｎｔｒｏｌ  Ｃｈａｎｎｅｌ）のＤＡＩ値が連続していない場合、ＤＣＩ検出ミスがあったことを把握できる。
【０００９】
アップリンクＤＡＩは、アップリンクグラント内の２ビットとして設けられ、割り当てられたＰＤＳＣＨ（Ｐｈｙｓｉｃａｌ  Ｄｏｗｎｌｉｎｋ  Ｓｈａｒｅｄ  Ｃｈａｎｎｅｌ）の総数を示す。図３の破線の矢印に示されるように、例えば、４つのダウンリンクサブフレームが割り当てられる場合、アップリンクＤＡＩの値は４とされる。このアップリンクＤＡＩを確認することによって、ＵＥは、ダウンリンク割当の総数を把握することができる。また、ユーザ装置がアップリンクグラントによりトリガされたＰＵＳＣＨによりＵＣＩフィードバックを実行する場合、ＡＣＫ／ＮＡＣＫでパンクチャするビット数にＡｍｂｉｇｕｉｔｙが生じない。
【００１０】
ＴＤＤ方式のＨＰＮ（ＨＡＲＱ  Ｐｒｏｃｅｓｓ  Ｎｕｍｂｅｒ）インジケータを示すＨＡＲＱプロセス番号通知ビットは、ダウンリンクとアップリンクとの何れも４ビットとして設けられ、３ビットとして設けられるＦＤＤ方式のＨＡＲＱプロセス番号通知ビットより大きい。これは、ＴＤＤ方式ではＨＡＲＱタイミングがＦＤＤ方式より長く、ＨＡＲＱプロセス数が最大で１５となる一方、ＦＤＤ方式ではＨＡＲＱプロセス数は最大で８であるためである。
【００１１】
上述したようなＴＤＤ方式とＦＤＤ方式とのＤＣＩの相違を考慮して、ＦＤＤ＋ＴＤＤ  ＣＡに用いられるＤＣＩが決定される必要がある。例えば、ＦＤＤセルではＦＤＤ方式に従うＤＣＩを利用し、ＴＤＤセルではＴＤＤ方式に従うＤＣＩを利用したとする。ここで、ＦＤＤセルがＰＣｅｌｌであり、ＰＵＣＣＨがＰＣｅｌｌで送信される場合（ケース１）、ダウンリンクの割り当てに対する送達確認（ＡＣＫ／ＮＡＣＫ）信号送信タイミング（ダウンリンクＨＡＲＱタイミング）は、ＦＤＤ方式のタイミングとなる。図４では、矢印によってダウンリンクの割り当てと、それに対するＡＣＫ／ＮＡＣＫ信号送信タイミングが示されている。このように、ＦＤＤセルではＦＤＤ方式のダウンリンクＨＡＲＱタイミングが適用され、ＴＤＤセルでもまたＦＤＤ方式のダウンリンクＨＡＲＱタイミングが適用されるため、ＴＤＤセルではＤＡＩが不要になり、さらにＨＰＮインジケータも３ビットで十分となる。このようにケース１では、不要なオーバヘッドによって通信容量が低下し、あるいはカバレッジが劣化する可能性がある。
【００１２】
他方、ＴＤＤセルがＰＣｅｌｌであり、ＰＵＣＣＨがＰＣｅｌｌで送信される場合（ケース２）、ダウンリンクの割り当てに対する送達確認（ＡＣＫ／ＮＡＣＫ）信号送信タイミング（ダウンリンクＨＡＲＱタイミング）は、ＰＵＣＣＨを送信可能なＰＣｅｌｌのアップリンクサブフレームが限定的であることから、ＴＤＤ方式ベースのタイミングとなる。図５では、矢印によってダウンリンクの割り当てと、それに対するＡＣＫ／ＮＡＣＫ信号送信タイミングが示されている。このように、ＴＤＤセルではＴＤＤ方式のダウンリンクＨＡＲＱタイミングが適用され、ＦＤＤセルでもまたＴＤＤ方式のダウンリンクＨＡＲＱタイミングが適用されるため、ＦＤＤセルではＤＡＩが必要となり、さらにＨＰＮインジケータが４ビット必要となる。このようにケース２では、必要なビットが存在しないため、適切なＨＡＲＱやスケジューリングが実行されず、スループットが劣化する可能性がある。
【００１３】
上述した問題点を鑑み、本発明の１つの課題は、ＦＤＤセルとＴＤＤセルとを併用するキャリアアグリゲーションにおいて、各セルに用いられるダウンリンク制御情報を決定するための技術を提供することである。
【課題を解決するための手段】
【００１４】
上記課題を解決するため、本発明の一態様は、周波数分割複信（ＦＤＤ）方式と時分割複信（ＴＤＤ）方式とに従ってキャリアアグリゲーションにより設定された複数のセルを介し基地局と無線チャネルを送受信する送受信部と、前記複数のセルを管理するセル管理部と、前記複数のセルに適用されている複信方式が前記ＦＤＤ方式と前記ＴＤＤ方式との何れであるか決定し、前記キャリアアグリゲーションが実行される各セルに対して前記決定された複信方式に従うダウンリンク制御情報を利用する通信制御部とを有するユーザ装置に関する。
【発明の効果】
【００１５】
本発明によると、ＦＤＤセルとＴＤＤセルとを併用するキャリアアグリゲーションにおいて、各セルに用いられるダウンリンク制御情報を決定することができる。
【図面の簡単な説明】
【００１６】
【図１】図１は、従来のＬＴＥシステムによりサポートされる基地局内ＣＡのＤｕｐｌｅｘモードを示す概略図である。
【図２】図２は、基地局内ＣＡ及び基地局間ＣＡのＤｕｐｌｅｘモードに関する各種バリエーションを示す概略図である。
【図３】図３は、ダウンリンクＤＡＩ及びアップリンクＤＡＩを示す概略図である。
【図４】図４は、ＦＤＤセルがＰＣＣであるケースにおけるＰＤＳＣＨ割り当てタイミングと、そのＰＤＳＣＨに対応する送達確認（ＡＣＫ／ＮＡＣＫ）信号送信タイミングを示す概略図である。
【図５】図５は、ＴＤＤセルがＰＣＣであるケースにおけるＰＤＳＣＨ割り当てタイミングと、そのＰＤＳＣＨに対応する送達確認（ＡＣＫ／ＮＡＣＫ）信号送信タイミングを示す概略図である。
【図６】図６は、本発明の一実施例によるＰＣＣのＤｕｐｌｅｘモードに応じたＤＣＩのＤｕｐｌｅｘモードを示す概略図である。
【図７】図７は、本発明の一実施例による無線通信システムを示す概略図である。
【図８】図８は、本発明の一実施例によるユーザ装置の構成を示すブロック図である。
【図９】図９は、複数のＳＣＣにおけるＰＵＣＣＨの送信を示す概略図である。
【図１０】図１０は、本発明の他の実施例によるＰＣＣのＤｕｐｌｅｘモードに応じたＤＣＩのＤｕｐｌｅｘモードを示す概略図である。
【図１１】図１１は、本発明の一実施例によるＤＣＩのＤｕｐｌｅｘモードを決定する処理を示すフロー図である。
【発明を実施するための形態】
【００１７】
以下、図面に基づいて本発明の実施の形態を説明する。
【００１８】
周波数分割複信（ＦＤＤ）方式と時分割複信（ＴＤＤ）方式とが併用された複数のセルによるキャリアアグリゲーションを利用するユーザ装置が開示される。後述される実施例では、ユーザ装置は、複数のセルに適用されている複信方式がＦＤＤ方式とＴＤＤ方式との何れであるか決定し、キャリアアグリゲーションが実行される各セルに対して決定された複信方式に従うダウンリンク制御情報を利用することによって、各セルと通信する。すなわち、図６に示されるように、ＦＤＤ方式がプライマリセルに適用されている場合（図６の左のケース）、ユーザ装置は、キャリアアグリゲーションが実行される各セルに対して、そのセルがＴＤＤ方式かＦＤＤ方式かに関わらず、ＦＤＤ方式で用いられるダウンリンク制御情報（ＦＤＤ−ＤＣＩ）を利用する。他方、ＴＤＤ方式がプライマリセルに適用されている場合（図６の右のケース）、ユーザ装置は、キャリアアグリゲーションが実行される各セルに対して、そのセルがＴＤＤ方式かＦＤＤ方式かに関わらず、ＴＤＤ方式で用いられるダウンリンク制御情（ＴＤＤ−ＤＣＩ）を利用する。これにより、図４および図５のようなＨＡＲＱタイミングに適切なＤＣＩを送信し、カバレッジの劣化や、スループットの劣化を回避することが可能になる。
【００１９】
まず、図７を参照して、本発明の一実施例による無線通信システムを説明する。図７は、本発明の一実施例による無線通信システムを概略的に示す図である。
【００２０】
図７に示されるように、無線通信システム１０は、１以上の基地局（ｅＮＢ）５０と、１以上のユーザ装置（ＵＥ）１００とを有する。本実施例では、無線通信システム１０は、ＬＴＥ−Ａｄｖａｎｃｅｄシステムであるが、これに限定されることなく、キャリアアグリゲーションをサポートする何れか適切な無線通信システムであってもよい。
【００２１】
本実施例による無線通信システム１０では、単一の基地局５０がユーザ装置１００と通信するための複数のセルを提供し、これらのセルからプライマリセルとセカンダリセルとをユーザ装置１００に割当て、これらのセルを介しユーザ装置１００と通信する（基地局内キャリアアグリゲーション（Ｉｎｔｒａ−ｅＮＢ  ＣＡ））。
【００２２】
また、複数の基地局５０がユーザ装置１００と通信するための複数のセルを提供し、異なる基地局５０によりプライマリセルとセカンダリセルとがユーザ装置１００に割り当てられ、これらのセルを介しユーザ装置１００と通信する（基地局間キャリアアグリゲーション（Ｉｎｔｅｒ−ｅＮＢ  ＣＡ））。
【００２３】
また、無線通信システム１０では、ＦＤＤ方式とＴＤＤ方式との２つの複信方式が併用され、１以上の基地局５０により提供される各セルは、これら２つの複信方式の何れかを用いてユーザ装置１００と通信する。
【００２４】
基地局５０は、ユーザ装置１００と無線接続することによって、通信接続された上位局やサーバ（図示せず）から受信したダウンリンクデータをユーザ装置１００に送信すると共に、ユーザ装置１００から受信したアップリンクデータを上位局（図示せず）に送信する。本実施例では、基地局５０は、ＬＴＥ−Ａｄｖａｎｃｅｄに準拠したｅＮＢであるが、これに限定されることなく、基地局内キャリアアグリゲーション及び基地局間キャリアアグリゲーションをサポートする何れか適切な基地局であってもよい。また、基地局５０は、ＦＤＤ方式とＴＤＤ方式との一方又は双方の複信方式に対応し、対応可能な複信方式により１以上のセルを提供する。本実施例では、基地局５０は、ＦＤＤ方式とＴＤＤ方式とを併用した基地局内キャリアアグリゲーション（ＦＤＤ＋ＴＤＤ  Ｉｎｔｒａ−ｅＮＢ  ＣＡ）と、ＦＤＤ方式とＴＤＤ方式とを併用した基地局間キャリアアグリゲーション（ＦＤＤ＋ＴＤＤ  Ｉｎｔｅｒ−ｅＮＢ  ＣＡ）とをサポートする。
【００２５】
ユーザ装置１００は、キャリアアグリゲーション機能を備えると共に、ＦＤＤ方式とＴＤＤ方式との双方をサポートする。典型的には、ユーザ装置１００は、携帯電話、スマートフォン、タブレット、モバイルルータなどであるが、これに限定されることなく、無線通信機能を備えた何れか適切なユーザ装置であってもよい。典型的なハードウェア構成では、ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのメモリ装置、ハードディスク装置などの補助記憶装置、無線信号を通信するための通信装置、ユーザとやりとりするためのインタフェース装置などから構成される。後述されるユーザ装置１００の各機能は、通信装置及び／又はインタフェース装置を介し補助記憶装置に格納されているデータやプログラムをメモリ装置にロードし、ロードされたプログラムに従ってＣＰＵがデータを処理することによって実現される。
【００２６】
次に、図８を参照して、本発明の一実施例によるユーザ装置の構成を説明する。図８は、本発明の一実施例によるユーザ装置の構成を示す図である。
【００２７】
図８に示されるように、ユーザ装置１００は、送受信部１１０と、セル管理部１２０と、通信制御部１３０とを有する。
【００２８】
送受信部１１０は、ＦＤＤ方式とＴＤＤ方式とに従ってキャリアアグリゲーションにより設定された複数のセルを介し基地局５０との間で無線チャネルを送受信する。具体的には、送受信部１１０は、基地局５０との間でアップリンク／ダウンリンク制御チャネルやアップリンク／ダウンリンクデータチャネルなどの各種無線チャネルを送受信する。ＬＴＥ−Ａｄｖａｎｃｅｄに準拠した無線通信システム１０では、ユーザ装置１００は、基地局５０からＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）などの各種ダウンリンクチャネルを受信し、基地局５０にＰＲＡＣＨ（Ｐｈｙｓｉｃａｌ  Ｒａｎｄｏｍ  Ａｃｃｅｓｓ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）及びＳＲＳ（Ｓｏｕｎｄｉｎｇ  Ｒｅｆｅｒｅｎｃｅ  Ｓｙｍｂｏｌ）などの各種アップリンクチャネルを送信する。
【００２９】
上述されたように、無線通信システム１０は、キャリアアグリゲーションをサポートしており、送受信部１１０は、通信制御部１３０による制御の下、プライマリセルとセカンダリセルとを介し１以上の基地局５０と通信可能である。例えば、基地局内キャリアアグリゲーションでは、単一の基地局５０が、自ら提供する複数のセルからプライマリセルとセカンダリセルとをユーザ装置１００に割当て、これらのセルを介しユーザ装置１００と通信する。この場合、送受信部１１０は、これらのセルを提供する基地局５０と各種無線チャネルをやりとりする。また、基地局間キャリアアグリゲーションでは、複数の基地局５０が、各自が提供するセルからプライマリセル又はセカンダリセルをユーザ装置１００に割当て、これらのセルを介しユーザ装置１００と通信する。この場合、送受信部１１０は、割り当てられたセルを提供する複数の基地局５０と各種無線チャネルをやりとりする。
【００３０】
セル管理部１２０は、ＦＤＤ方式とＴＤＤ方式とに従ってキャリアアグリゲーション（ＦＤＤ＋ＴＤＤ  ＣＡ）により設定された複数のセルを管理する。キャリアアグリゲーションでは、典型的には、１つのプライマリセル（ＰＣｅｌｌ又はＰＣＣ）と、１以上のセカンダリセル（ＳＣｅｌｌ又はＳＣＣ）とが設定される。ＦＤＤ＋ＴＤＤ  ＣＡでは、各セルはＦＤＤ方式とＴＤＤ方式との何れかの複信方式を利用する。セル管理部１２０は、基地局５０により設定されたＦＤＤセル及びＴＤＤセルとの接続を管理する。
【００３１】
通信制御部１３０は、複数のセルのプライマリセルに適用されている複信方式がＦＤＤ方式とＴＤＤ方式との何れであるか決定し、キャリアアグリゲーションが実行される各セルに対して決定された複信方式に従うダウンリンク制御情報を利用するよう各セルとの通信を制御する。すなわち、図６に示されるように、決定されたプライマリセルにＦＤＤ方式が適用されている場合、通信制御部１３０は、キャリアアグリゲーションが実行される当該プライマリセル及び１以上のセカンダリセルの各セルに対してＦＤＤ方式に従うダウンリンク制御情報（ＦＤＤ−ＤＣＩ）が送信されると判断し、受信および復調を行う。他方、決定されたプライマリセルにＴＤＤ方式が適用されている場合、通信制御部１３０は、キャリアアグリゲーションが実行される当該プライマリセル及び１以上のセカンダリセルの各セルに対してＴＤＤ方式に従うダウンリンク制御情報（ＴＤＤ−ＤＣＩ）が送信されると判断し、受信および復調を行う。ここで、各セルに適用される複信方式がＦＤＤ方式とＴＤＤ方式との何れであるかの決定は、例えば、各セルの周波数帯に基づき判定できる。ＦＤＤ方式とＴＤＤ方式とでは、異なる周波数帯が利用されているため、当該セルで利用されている周波数帯を確認することによって、通信制御部１３０は、各セルに適用される複信方式を判断することができる。上位レイヤより、接続中のネットワークにおいて当該周波数帯で用いられるＤｕｐｌｅｘ−ｍｏｄｅを通知しても良い。あるいは、ＬＴＥのＦＤＤ方式とＴＤＤ方式とでは、同期チャネルをはじめとする物理チャネルの構成が異なることを利用し、端末は物理チャネルを受信して行う初期接続の段階で、当該セルがＦＤＤ方式であるかＴＤＤ方式であるか判断しても良い。
【００３２】
上述したように、ＬＴＥ規格によると、ＴＤＤ方式のＤＣＩにはＦＤＤ方式のＤＣＩには存在しない情報要素がある。例えば、ＴＤＤ方式のＤＣＩの情報要素であるダウンリンクＤＡＩ（Ｄｏｗｎｌｉｎｋ  Ａｓｓｉｇｎｍｅｎｔ  Ｉｎｄｅｘ）、アップリンクＤＡＩ、及びＨＡＲＱ（Ｈｙｂｒｉｄ  Ａｕｔｏｍａｔｉｃ  Ｒｅｐｅａｔ  Ｒｅｑｕｅｓｔ）プロセス番号通知ビットは、ＦＤＤ方式のＤＣＩにはないか、あるいは、異なるビット数に割り当てられている。
【００３３】
ダウンリンクＤＡＩは、ダウンリンク割当内の２ビットとして設けられ、ダウンリンクのサブフレームの割り当て毎に計数される。このダウンリンクＤＡＩを確認することによって、ユーザ装置１００は、検出したＰＤＣＣＨ（Ｐｈｙｓｉｃａｌ  Ｄｏｗｎｌｉｎｋ  Ｃｏｎｔｒｏｌ  Ｃｈａｎｎｅｌ）のＤＡＩ値が連続していない場合、ＤＣＩ検出ミスがあったことを把握できる。
【００３４】
アップリンクＤＡＩは、アップリンクグラント内の２ビットとして設けられ、割り当てられたＰＤＳＣＨ（Ｐｈｙｓｉｃａｌ  Ｄｏｗｎｌｉｎｋ  Ｓｈａｒｅｄ  Ｃｈａｎｎｅｌ）の総数を示す。このアップリンクＤＡＩを確認することによって、ユーザ装置１００は、ダウンリンク割当の総数を把握することができる。また、ユーザ装置１００がアップリンクグラントによりトリガされたＰＵＳＣＨによりＵＣＩフィードバックを実行する場合、ＡＣＫ／ＮＡＣＫでパンクチャするビット数にＡｍｂｉｇｕｉｔｙは生じない。
【００３５】
ＴＤＤ方式のＨＰＮ（ＨＡＲＱ  Ｐｒｏｃｅｓｓ  Ｎｕｍｂｅｒ）インジケータを示すＨＡＲＱプロセス番号通知ビットは、ダウンリンクとアップリンクとの何れも４ビットとして設けられ、３ビットとして設けられるＦＤＤ方式のＨＡＲＱプロセス番号通知ビットより大きい。これは、ＴＤＤ方式ではＨＡＲＱタイミングがＦＤＤ方式より長く、ＨＡＲＱプロセス数が最大で１５となる一方、ＦＤＤ方式ではＨＡＲＱプロセス数は最大で８であるためである。
【００３６】
上述した実施例では、ＰＵＣＣＨはプライマリセルにおいて送信されたが、ＬＴＥ−Ａｄｖａｎｃｅｄでは、プライマリセルに加えて、１以上のセカンダリセル（図９の最右のセカンダリセル）においてもＰＵＣＣＨが送信されることが検討されている。例えば、Ｄｕａｌ  Ｃｏｎｎｅｃｔｉｖｉｔｙでは、ＰＵＣＣＨを送信するセルは２以上とされ、プライマリセルに加えて、１以上のセカンダリセルがＰＵＣＣＨを送信することになる。Ｃａｒｒｉｅｒ  ａｇｇｒｅｇａｔｉｏｎにおいても同様に、ＰＵＣＣＨを送信するセルを２以上とすることが検討されており、これによりアップリンクの制御情報を複数のセルにオフロードすることが可能となる。このようなＰＵＣＣＨが送信されるセルについて、図９に示されるように、当該セルと当該セルにフィードバックされたＤＣＩに基づきスケジューリングされる他のセカンダリセルとを含むようセルグループが構成され、セル管理部１２０は、複数のセルをセルグループ単位で管理することになる。なお、プライマリセルは、セルグループのＰＵＣＣＨを送信するセルの１つとして利用される。
【００３７】
図示されるように、セカンダリセルもまたＰＵＣＣＨを送信する場合、プライマリセルにおけるＰＵＣＣＨは、自らのセルグループ（図９の左側のセルグループ）の１以上のセルのアップリンク制御情報をフィードバックすることになり、一方、ＰＵＣＣＨを送信するセカンダリセルにおけるＰＵＣＣＨは、自らのセルグループ（図９の右側のセルグループ）の１以上のセルのアップリンク制御情報をフィードバックすることになる。仮に、プライマリセルとＰＵＣＣＨを送信するセカンダリセルとの間で複信方式が異なる場合、上述されたようにプライマリセルの複信方式に対応してＤＣＩの複信方式が決定されると、ＤＡＩやＨＰＮインジケータビットが過剰又は不足するという上述した問題が生じてしまう。
【００３８】
このため、一実施例では、プライマリセルだけでなくセカンダリセルもまたＰＵＣＣＨを送信する場合、通信制御部１３０は、各セルグループのＰＵＣＣＨを送信するセルに適用されている複信方式がＦＤＤ方式とＴＤＤ方式との何れであるかに応じて、セルグループ内の各セルに対して識別された複信方式に従うダウンリンク制御情報を利用するようにしてもよい。すなわち、セルグループのＰＵＣＣＨを送信するプライマリセル又はセカンダリセルにＦＤＤ方式が適用されている場合、通信制御部１３０は、セルグループ内の各セルに対してＦＤＤ方式に従うダウンリンク制御情報（ＦＤＤ−ＤＣＩ）が送信されると判断し、受信および復調を行う。他方、セルグループの物理アップリンク制御チャネルを送信するプライマリセル又はセカンダリセルにＴＤＤ方式が適用されている場合、通信制御部１３０は、セルグループ内の各セルに対してＴＤＤ方式に従うダウンリンク制御情報（ＴＤＤ−ＤＣＩ）が送信されると判断し、受信および復調を行う。図１０に示される具体例では、プライマリセルはＦＤＤ方式に従っているため、プライマリセルを含む左側のセルグループの各セルについて、ＦＤＤ−ＤＣＩが送信されるため、ユーザ端末は、ＦＤＤ−ＤＣＩの受信・復調を試みることになる。他方、右側のセルグループのＰＵＣＣＨを送信するセカンダリセルはＴＤＤ方式に従っているため、右側のセルグループの各セルについて、ＴＤＤ−ＤＣＩが送信されるため、ユーザ端末は、ＴＤＤ−ＤＣＩの受信・復調を試みることになる。
【００３９】
次に、本発明の一実施例によるダウンリンク制御情報の複信モードを決定する処理を説明する。図１１は、本発明の一実施例によるダウンリンク制御情報のＤｕｐｌｅｘモードを決定する処理を示すフロー図である。
【００４０】
図１１に示されるように、ステップＳ１０１において、セル管理部１２０は、何れかのスケジューリングイベントに応答して、キャリアアグリゲーションにより設定されているセカンダリセルに対してスケジューリングが実行されると判断する。
【００４１】
ステップＳ１０２において、通信制御部１３０は、当該セカンダリセルのダウンリンク制御情報のフィードバック先のセル（ＰＵＣＣＨ−ＣＣ）の複信方式を判定する。図６に示されるように、ユーザ装置１００がプライマリセルのみにＰＵＣＣＨを送信する場合、当該フィードバック先のセルはプライマリセルとなる。他方、図１０に示されるように、ユーザ装置１００がプライマリセルに加えて１以上のセカンダリセルにＰＵＣＣＨを送信する場合、当該フィードバック先のセルは、対象となるセカンダリセルが属するセルグループにおけるＰＵＣＣＨを送信するセカンダリセルとなる。
【００４２】
ＰＵＣＣＨ−ＣＣがＦＤＤ方式に従う場合（Ｓ１０２：Ｙｅｓ）、通信制御部１３０は、当該セカンダリセルについてＦＤＤ方式に従うＤＣＩフォーマットが送信されると想定し、ダウンリンク制御情報を受信・復調する。他方、ＰＵＣＣＨ−ＣＣがＴＤＤ方式に従う場合（Ｓ１０２：Ｎｏ）、通信制御部１３０は、当該セカンダリセルについてＴＤＤ方式に従うＤＣＩフォーマットが送信されると想定し、ダウンリンク制御情報を受信・復調する。
【００４３】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４４】
１０  無線通信システム
５０  基地局
１００  ユーザ装置
１１０  送受信部
１２０  セル管理部
１３０  通信制御部
【図１】
2015142350.tif 000003
【図２】
2015142350.tif 000004
【図３】
2015142350.tif 000005
【図４】
2015142350.tif 000006
【図５】
2015142350.tif 000007
【図６】
2015142350.tif 000008
【図７】
2015142350.tif 000009
【図８】
2015142350.tif 000010
【図９】
2015142350.tif 000011
【図１０】
2015142350.tif 000012
【図１１】
2015142350.tif 000013